(57)【要約】【課題】本発明は、同期通信システム、端末同期方法、ディジタル加入者線終端装置および端末装置に関し、広帯域によるストリーム伝送が実時間で安価に達成されることを目的とする。【解決手段】メッセージ交換または蓄積交換が行われる網とのインタフェースをとり、かつＴＣＭ−ＩＳＤＮに同期した双方向伝送とこの網に対するアクセスとに供されるディジタル加入者線を収容するインタフェース手段と、ディジタル加入者線を介してインタフェース手段に接続された端末と、ディジタル加入者線を終端し、そのディジタル加入者線と端末とのインタフェースをとり、このディジタル加入者線を介して与えられる信号に同期した同期信号を生成するＤＳＬ終端手段とを備え、端末は、ディジタル加入者線およびインタフェース手段を介して網に、同期信号に同期してアクセスすることによって達成される。【選択図】      図１
2005006256.tif 000002
【特許請求の範囲】
【請求項１】
メッセージ交換または蓄積交換が行われる網とのインタフェースをとり、かつＴＣＭ−ＩＳＤＮに同期した双方向伝送とこの網に対するアクセスとに供されるディジタル加入者線を収容するインタフェース手段と、
前記ディジタル加入者線を介して前記インタフェース手段に接続された端末と、
前記ディジタル加入者線を終端し、そのディジタル加入者線と前記端末とのインタフェースをとり、このディジタル加入者線を介して与えられる信号に同期した同期信号を生成するＤＳＬ終端手段とを備え、
前記端末は、
前記ディジタル加入者線および前記インタフェース手段を介して前記網に、前記同期信号に同期してアクセスする
ことを特徴とする同期通信システム。
【請求項２】
ＴＣＭ−ＩＳＤＮに同期した双方向伝送に供されるディジタル加入者線の終端に併せて、そのディジタル加入者線を介して入力される信号に同期した同期信号の生成を行い、
メッセージ交換または蓄積交換方式が行われる網に、前記ディジタル加入者線に収容された端末がそのディジタル加入者線を介して前記同期信号に同期してアクセスする
ことを特徴とする端末同期方法。
【請求項３】
ＴＣＭ−ＩＳＤＮに同期した双方向伝送に供されるディジタル加入者線を終端し、メッセージ交換または蓄積交換方式が行われる網にそのディジタル加入者線を介してアクセスする端末とのインタフェースをとるＤＳＬ終端手段と、
前記ディジタル加入者線を介して与えられる信号に同期した同期信号を生成し、前記端末にその同期信号を供給する同期信号供給手段と
を備えたことを特徴とするディジタル加入者線終端装置。
【請求項４】
ＴＣＭ−ＩＳＤＮに同期した双方向伝送に供されるディジタル加入者線を終端するディジタル加入者線終端装置を介して、そのディジタル加入者線とのインタフェースをとるインタフェース手段と、
メッセージ交換または蓄積交換が行われる網に前記インタフェース手段および前記ディジタル加入者線を介してアクセスする情報処理手段とを備え、
前記インタフェース手段は、
前記ディジタル加入者線終端装置によって生成され、かつ前記ＴＣＭ−ＩＳＤＮに同期した同期信号に同期して前記ディジタル加入者線にアクセスする
ことを特徴とする端末装置。
【発明の詳細な説明】
【０００１】
【発明の属する技術分野】
本発明は、メッセージ交換または蓄積交換が行われる網とのインタフェースをとり、ディジタル加入者を介してその網にアクセスし得る端末を収容すると共に、網同期が図られた同期通信システムと、このディジタル加入者線と端末との同期を確立し、かつ維持する端末同期方法と、そのディジタル加入者線を終端するディジタル加入者線終端装置と、このディジタル加入者線終端装置を介してディジタル加入者線に収容される端末装置とに関する。
【０００２】
【従来の技術】
ＡＤＳＬ（Ａｓｙｍｍｅｔｒｉｃ  Ｄｉｇｉｔａｌ  Ｓｕｂｓｃｒｉｂｅｒ  Ｌｉｎｅ）は、ＩＴＵ−Ｔ（Ｉｎｔｅｒｎａｔｉｏｎａｌ  Ｔｅｌｅｃｏｍｍｕｎｉｃａｔｉｏｎｓ  Ｕｎｉｏｎ−Ｔｅｌｅｃｏｍｍｕｎｉｃａｔｉｏｎ  ｓｔａｎｄａｒｄｉｚａｔｉｏｎ  ｓｅｃｔｏｒ）の勧告Ｇ．９９２．１に準拠し、かつブロードバンド伝送サービスを安価に確実に提供可能であるために、近年、広範に普及しつつある。なお、国内では、「先行して普及し、かつＩＴＵ−Ｔの勧告Ｇ．９６１に準拠したＴＣＭ−ＩＳＤＮ（Ｔｉｍｅ  Ｃｏｍｐｒｅｓｓｉｏｎ  Ｍｕｌｔｉｐｌｅｘｉｎｇ−Ｉｎｔｅｇｒａｔｅｄ  Ｓｅｒｖｉｃｅｓ  Ｄｉｇｉｔａｌ  Ｎｅｔｗｏｒｋ  ）」との相互間における漏話に起因する干渉の回避を目的として、「ＩＴＵ−Ｔの勧告Ｇ．９９２．１のＡｎｎｅｘ  Ｃ  に準拠したＡＤＳＬ」が多く適用されている。
【０００３】
図２は、端末装置がＡＤＳＬを介して収容された通信システムの構成例を示す図である。
図において、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）３０のノードとして設置され、かつＩＰネットワーク３１に接続されたＡＤＳＬ用送受信器（ＡＴＵ−Ｃ）３２−１、３２−２には、それぞれディジタル加入者線３４−１、３４−２を介して個別の宅内に設置されたＡＤＳＬモデム（ＡＴＵ−Ｒ）２０−１、２０−２が接続される。これらのＡＤＳＬ用送受信器３２−１、３２−２およびＡＤＳＬモデム２０−１、２０−２のクロック入力には、図２に点線で示すように、基準クロック発振器３５によって生成され、かつ網同期の基準となるクロック信号が供給される。ＡＤＳＬモデム２０−１には通信リンク２１−１を介して端末装置３０Ｔ−１が接続され、かつＡＤＳＬモデム２０−２には通信リンク２１−２を介して端末装置３０Ｔ−２が接続される。
【０００４】
ＡＤＳＬ用送受信器３２−１は、下記の要素から構成される。
・  ＩＰネットワーク３１の下りのリンクとディジタル加入者線３４−１の下りのリンクとに接続され、かつ網同期の下で生成されたクロック信号が所定の局内装置（ＥＴ／ＬＴ）から供給される送信部３２Ｔ−１
・  ディジタル加入者線３４−１の上りのリンクとこのＩＰネットワーク３１の上りのリンクとに接続された受信部３２Ｒ−１
なお、ＡＤＳＬ用送受信器３２−２の構成については、ＡＤＳＬ用送受信器３２−１の構成と同じであるので、ここでは、その説明を省略し、以下では、添え番号「１」に代わる「２」を対応する要素の符号に付加して記述する。
【０００５】
ＡＤＳＬモデム２０−１は、下記の要素から構成される。
・  ディジタル加入者線３４−１の下りのリンクと既述の通信リンク２１−１の下りのリンクとに接続された受信部２０Ｒ−１
・  その通信リンク２１−１の上りのリンクとディジタル加入者線３４−１の上りのリンクとに接続された送信部２０Ｔ−１
・  受信部２０Ｒ−１のクロック出力と、送信部２０Ｔ−１のクロック入力とに接続されたクロック再生回路２０ＣＲ−１
なお、ＡＤＳＬモデム２０−２の構成については、ＡＤＳＬモデム２０−１の構成と同じであるので、ここでは、その説明を省略し、以下では、添え番号「１」に代わる「２」を対応する要素の符号に付加して記述する。
【０００６】
このような構成の通信システムでは、端末装置３０Ｔ−１は、上述したＩＰネットワーク３１にアクセスするためには、ＡＤＳＬモデム２０−１を介して発信する。
この発信に応じて生起した発信呼が完了呼となると、ＡＤＳＬ用送受信器３２−１およびＡＤＳＬモデム２０−１は、上述した発信呼の呼設定の手順に基づいて連係することによって、これらのＡＤＳＬ用送受信器３２−１およびＡＤＳＬモデム２０−１  との間に、広帯域のデータ伝送に適用可能なパスを形成する。
【０００７】
また、ＡＤＳＬモデム２０−１は、このような呼設定の手順に基づいて端末装置３０Ｔ−１と連係することによって、通信リンク２１−１上に、その端末装置３０Ｔ−１との間に所定のリンク（ここでは、簡単のため、「ＣＳＭＡ／ＣＤ  （Ｃａｒｒｉｅｒ−Ｓｅｎｓｅ  Ｍｕｌｔｉｐｌｅ−Ａｃｃｅｓｓ  ｗｉｔｈ  Ｃｏｌｌｉｓｉｏｎ  Ｄｅｔｅｃｔｉｏｎ）  方式」に適合すると仮定する。）を形成する。
【０００８】
端末装置３０Ｔ−１は、ＩＰネットワーク３１を介して接続された所望のサイト、あるいは端末宛に伝送されるべき情報については、このようなリンクを介してＡＤＳＬモデム２０−１宛に、上述したＣＳＭＡ／ＣＤ方式に適合したパケットの列として送出する。
ＡＤＳＬモデム２０−１では、受信部２０Ｒ−１は、ディジタル加入者線３４−１を介してＡＤＳＬ用送受信器３２−１から受信された信号をクロック再生回路２０ＣＲ−１に引き渡す。
【０００９】
クロック再生回路２０ＣＲ−１は、その信号に同期（従属同期）した既定の周波数のクロック信号を生成する。
送信部２０Ｔ−１は、上述したパケットの列を所定のバッファメモリを介して順次読み出し、かつディジタル加入者線３４−１の上りのリンクに適用されるべき伝送方式に適合した信号に変換すると共に、そのディジタル加入者線３４−１を介してＡＤＳＬ用送受信器３２−１宛にその信号を送出する。
【００１０】
一方、ＡＤＳＬ用送受信器３２−１では、受信部３２Ｒ−１は、この信号をＩＰネットワーク３１に整合したパケットの列に変換する。
さらに、受信部３２Ｒ−１は、ＩＰネットワーク３１とのインタフェースをとる所定の装置（多重化やルーティングを行う。）を介してそのＩＰネットワーク３１に、このＩＰネットワーク３１に適用された通信手順に基づいて上述したパケットの列を順次送出する。
【００１１】
また、このような装置にＩＰネットワーク３１から引き渡され、かつ端末装置３０Ｔ−１宛に転送されるべき情報を含むパケットの列は、各部が以下に列記する通りの処理を行うことによって、この端末装置３０Ｔ−１に引き渡される。
・  ＡＤＳＬ用送受信器３２−１では、受信部３２Ｒ−１によって行われた既述の処理と反対の処理が送信部３２Ｔ−１によって行われる。
【００１２】
・  ＡＤＳＬモデム２０−１では、送信部２０Ｔ−１によって行われた既述の処理と反対の処理が受信部２０Ｒ−１によって行われる。
さらに、ＡＤＳＬモデム２０−１では、ディジタル加入者線３４−１の下りのリンクを介して既述のＣＳＭＡ／ＣＤ方式に基づいて間欠的に与えられ、かつ受信部２０Ｒ−１によって上述した処理が施される信号（パケット）は、その受信部２０Ｒ−１によってクロック再生回路２０ＣＲ−１に与えられ、既述のクロック信号の生成（ＩＳＤＮ３０に対する従属同期）の基準として参照される。
【００１３】
したがって、このようなＩＳＤＮ３０に代表される同期通信網では、図２に点線で示すように、共通の基準クロック発振器３５に対して網同期が図られているために、この同期通信網にアクセスする端末装置３０Ｔ−１、３０Ｔ−２は、達成されるべき伝送速度が数メガビット／秒以下である場合には、所在の如何にかかわらずＩＳＤＮ３０に対する同期を十分な精度で維持し、その同期の下で良好な伝送品質による通信サービスを受けることが可能である。
【００１４】
ところで、近年、ＡＤＳＬは安価に広帯域の通信サービスを提供できるために急速に普及し、このようなＡＤＳＬの利点を有効に活用することによる「リアルタイム・ストリームの伝送を可能とするサービス」の要求および需要が増加しつつある。
なお、ＡＤＳＬを介するこのようなリアルタイム・ストリームの伝送は、そのＡＤＳＬを介して実現可能な通信が本来的に「所定の通信プロトコルに基づいて行われ、かつ蓄積交換やメッセージ交換の下で実現される非同期通信」であるために、一般には、困難である。
【００１５】
しかし、ＡＤＳＬを介するリアルタイム・ストリームの伝送は、例えば、参考文献（ｈｔｔｐ：／／ｗｗｗ．ｎｔｔ．ｃｏ．ｊｐ／ｎｅｗｓ／ｎｅｗｓ０１／０１０６／０１０６０４．ｈｔｍｌ）に示されるように、『複数の端末がＩＰネットワークに接続され、これらの端末のそれぞれに最寄りの電話局がＩＳＤＮ回線を介して接続されることによって、そのＩＳＤＮ回線において確立している網同期の下で全ての端末の間の同期が実現される「ユニ・シンク」』が適用されることによって、達成され得る。
【００１６】
また、一部のＡＤＳＬは、例えば、データ通信に供されるべき端末装置に電話系の端末が並列に接続され、かつ銅線からなる線路として構成されたアナログの加入者線上に、周波数多重化された電話系の信号と高速のデータ信号とが伝送されることによって実現されている。
このようなＡＤＳＬには、上述した線路にＴＣＭ・ＩＳＤＮ方式の線路が近接して敷設され、そのためにこれらの線路の相互間における漏話に起因した伝送品質の劣化の回避あるいは軽減を目的として、「電話局内に設けられた装置（ＥＴ／ＬＴ）から直接供給され、かつ既定の基準（ＴＴＲ：  ＴＣＭ−ＩＳＤＮ  Ｔｉｍｉｎｇ  Ｒｅｆｅｒｅｎｃｅ  （Ａｎｎｅｘ  Ｃ））を満たす同期信号」に応じて、既述のＴＣＭ−ＩＳＤＮに同期したピンポン伝送方式（ＩＴＵ−Ｔの勧告Ｇ．９９２．１  Ａｎｎｅｘ  Ｃ  と、ＴＴＣ（Ｔｅｌｅｃｏｍｍｕｎｉｃａｔｉｏｎ  Ｔｅｃｈｎｏｌｏｇｙ  Ｃｏｍｍｉｔｔｅｅ）の勧告ＪＴ−Ｇ９９２．１との双方に対する準拠する。）が適用される。
【００１７】
なお、ＩＰネットワーク３１のようなパケット網と、そのパケット網に接続された端末との間の同期は、例えば、ＩＥＴＦ（Ｉｎｔｅｒｎｅｔ  Ｅｎｇｉｎｅｅｒｉｎｇ  Ｔａｓｋ  Ｆｏｒｃｅ）によって定義された規格ＲＦＣ１３０５に示されるＮＴＰ（Ｎｅｔｗｏｒｋ  Ｔｉｍｅ  Ｐｒｏｔｏｃｏｌ）が適用されることによって、実現され得る。
【特許文献１】
特願２００３−７１５１２号（要約）
【００１８】
【発明が解決しようとする課題】
ところで、上述した従来例では、以下に列記される理由により端末装置３０Ｔ−１、３０Ｔ−２に対する数十メガビット／秒以上の伝送速度による伝送サービス（例えば、リアルタイム・ストリーム通信サービス）の提供は、必ずしも十分な伝送品質では達成されず、困難であった。
【００１９】
・  端末装置３０Ｔ−１、３０Ｔ−２のように、ＣＤＭＡ／ＣＤ方式のリンクおよびＡＤＳＬを介してＩＰネットワークにアクセスする端末装置は、本来的に同期伝送モードや蓄積交換方式に整合したハードウエアでは構成されていない。
・  さらに、これらの端末装置３０Ｔ−１、３０Ｔ−２は、一般に、「ＩＰネットワーク３１を介して所望のサイトや端末に至る個々の伝送区間に設置されたノードや伝送装置において自立的に同期が図られること」を前提として設計されているために、これらのノードや伝送装置と同様に自立的に同期を確立し、かつ維持する。
【００２０】
なお、既述の「ユニ・シンク」は、個々の端末装置に対して、ＩＳＤＮ３０に収容されたディジタル加入者線に併せて、ＩＰネットワーク３１に対するアクセスを可能とする非同期方式の回線が敷設されなければならないために、コストその他の制約に阻まれ、実際には適用され難かった。
【００２１】
また、既述のＮＴＰは、一般に、同期の基準となるパケットがＩＰネットワーク３１を介して個々の端末装置に配信されるために、数十ミリ秒程度に亘るジッタが生じ、かつそのジッタを十分に抑圧することが困難であるために、「ユニ・シンク」と同様に、実際には適用され難かった。
本発明は、同期網の局内に設置された設備の構成が何ら変更されることなく、その同期網に収容されたディジタル加入者線の利点が有効に活用され、かつ広帯域によるストリーム伝送が実時間で達成される同期通信システム、端末同期方法、ディジタル加入者線終端装置および端末装置を提供することを目的とする。
【００２２】
【課題を解決するための手段】
請求項１に記載の発明では、インタフェース手段は、メッセージ交換または蓄積交換が行われる網とのインタフェースをとり、かつＴＣＭ−ＩＳＤＮに同期した双方向伝送とこの網に対するアクセスとに供されるディジタル加入者線を収容する。端末は、ディジタル加入者線を介してインタフェース手段に接続される。ＤＳＬ終端手段は、ディジタル加入者線を終端し、そのディジタル加入者線と端末とのインタフェースをとり、このディジタル加入者線を介して与えられる信号に同期した同期信号を生成する。端末は、ディジタル加入者線およびインタフェース手段を介して網に、同期信号に同期してアクセスする
すなわち、ディジタル加入者線を介してインタフェース手段に接続された端末は、そのインタフェース手段が属する網同期系に従属同期した同期信号に同期して、既述のメッセージ交換または蓄積交換が行われる網を介して接続されたサイトや端末との間で相互に、情報を伝送することができる。
【００２３】
したがって、このような情報の伝送が上述した網同期系に対して非同期に行われていた従来例に比べて、伝送遅延時間の短縮が可能となり、かつ多様であって大量の情報の実時間による伝送が安価に高い伝送品質で達成される。
請求項２に記載の発明では、ＴＣＭ−ＩＳＤＮに同期した双方向伝送に供されるディジタル加入者線の終端に併せて、そのディジタル加入者線を介して入力される信号に同期した同期信号の生成が行われる。ディジタル加入者線に収容された端末は、メッセージ交換または蓄積交換方式が行われる網に、そのディジタル加入者線を介して同期信号に同期してアクセスする。
【００２４】
すなわち、ディジタル加入者線を介して収容された端末は、そのディジタル加入者線が収容された網が属する網同期系に従属同期した同期信号に同期して、既述のメッセージ交換または蓄積交換が行われる網を介して接続されたサイトや端末との間で相互に、情報を伝送することができる。
したがって、このような情報の伝送が上述した網同期系に対して非同期に行われていた従来例に比べて、伝送遅延時間の短縮が可能となり、かつ多様であって大量の情報の実時間による伝送が安価に高い伝送品質で達成される。
【００２５】
請求項３に記載の発明では、ＤＳＬ終端手段は、ＴＣＭ−ＩＳＤＮに同期した双方向伝送に供されるディジタル加入者線を終端し、メッセージ交換または蓄積交換方式が行われる網にそのディジタル加入者線を介してアクセスする端末とのインタフェースをとる。同期信号供給手段は、ディジタル加入者線を介して与えられる信号に同期した同期信号を生成し、端末にその同期信号を供給する。
【００２６】
すなわち、ディジタル加入者線を介して収容された端末は、そのディジタル加入者線が収容された網が属する網同期系に従属同期した同期信号に同期して、既述のメッセージ交換または蓄積交換が行われる網を介して接続されたサイトや端末との間で相互に、情報を伝送することができる。
【００２７】
したがって、このような情報の伝送が上述した網同期系に対して非同期に行われていた従来例に比べて、伝送遅延時間の短縮が可能となり、かつ多様であって大量の情報の実時間による伝送が安価に高い伝送品質で達成される。
請求項４に記載の発明では、インタフェース手段は、ＴＣＭ−ＩＳＤＮに同期した双方向伝送に供されるディジタル加入者線を終端するディジタル加入者線終端装置を介して、そのディジタル加入者線とのインタフェースをとる。情報処理手段は、メッセージ交換または蓄積交換が行われる網にインタフェース手段およびディジタル加入者線を介してアクセスする。インタフェース手段は、ディジタル加入者線終端装置によって生成され、かつＴＣＭ−ＩＳＤＮに同期した同期信号に同期してディジタル加入者線にアクセスする。
【００２８】
すなわち、本発明にかかわる端末装置は、ディジタル加入者線を介して収容されるにもかかわらず、基本的な構成が大幅に変更されることなく、既述のメッセージ交換または蓄積交換が行われる網を介して接続されたサイトや端末と相互に、そのディジタル加入者線が収容された網が属する網同期系に従属同期した同期信号に同期して情報を伝送することができる。
【００２９】
したがって、このような情報の伝送が上述した網同期系に対して非同期に行われていた従来例に比べて、伝送遅延時間の短縮が可能となり、かつ多様であって大量の情報の実時間による伝送が安価に高い伝送品質で達成される。
【００３０】
【発明の実施の形態】
以下、図面に基づいて本発明の実施形態について詳細に説明する。
【００３１】
図１は、本発明の実施形態を示す図である。
本実施形態には、図１に示すように、既述のＡＤＳＬモデム２０−１、２０−２にそれそれ代わるＡＤＳＬモデム（ＡＴＵ−Ｒ）１０−１、１０−２と、端末装置３０Ｔ−１、３０Ｔ−２にそれぞれ代わる端末装置３０Ｔｍ−１、３０Ｔｍ−２とが備えられ、これらの端末装置３０Ｔｍ−１、３０Ｔｍ−２とＡＤＳＬモデム１０−１、１０−２との間に、専ら同期に供される線路２１Ｓ−１、２１Ｓ−２がそれぞれ敷設される。
【００３２】
ＡＤＳＬモデム１０−１の構成は、クロック再生回路２０ＣＲ−１の特定の出力に接続され、かつ出力が上述した線路２１Ｓ−１の一端に接続された周波数シンセサイザ（ＰＬＬ）１１−１が備えられた点で、図２に示すＡＤＳＬモデム２０−１の構成と異なる。
【００３３】
なお、ＡＤＳＬモデム１０−２の構成は、ＡＤＳＬモデム１０−１の構成と同じであるので、ここでは、その説明を省略し、以下では、添え番号「１」に代わる「２」を対応する要素の符号に付加して記述する。
以下、本実施形態の動作を説明する。
ＡＤＳＬモデム１０−１では、クロック再生回路２０ＣＲ−１は、従来例と同様にディジタル加入者線３４−１の下りのリンクを介して間欠的に与えられ、かつ受信部２０Ｒ−１によって既述の処理が施される信号に土１０ｐｐｍ程度の精度で同期したクロック信号を生成する。
【００３４】
周波数シンセサイザ１１−１は、そのクロック信号に応じて間接方式の周波数合成を行うことによってこのクロック信号に位相同期し、そのクロック信号に伴うジッタによる精度の低下が抑圧された所望の周波数の同期信号を生成し、かつ線路２１Ｓ−１を介して端末装置３０Ｔｍ−１にその同期信号を供給する。
端末装置３０Ｔｍ−１は、『「ＩＰネットワーク３１を介して接続された所望のサイト、あるいは端末宛に伝送されるべき情報」が含まれ、かつ既述のＣＳＭＡ／ＣＤ方式に適合すると共に、この同期信号に同期したパケット』を通信リンク２１−１に送出する。
【００３５】
さらに、端末３０Ｔｍ−１は、ＩＰネットワーク３１からＡＤＳＬ用送受信器３２−１に引き渡され、そのＡＤＳＬ用送受信器３２−１からディジタル加入者線３４−１、ＡＤＳＬモデム１０−１および通信リンク２１−１を介して引き渡されたパケットの列についても、上述した同期信号に同期して取り込む。
すなわち、端末装置３０Ｔｍ−１は、「ＩＰネットワーク３１を介して接続された所望のサイト、あるいは端末」と相互に伝送されるべき何れの情報についても、ＩＳＤＮ３０の網同期の下で連係するクロック再生回路２０ＣＲ−１および周波数シンセサイザ１１−１によって生成され、そのＩＳＤＮ３０に精度よく安定に同期した同期信号に対する従属同期の下で、送信および受信を行うことができる。
【００３６】
このように本実施形態によれば、ＩＳＤＮ３０にディジタル加入者線３４−１（３４−２）を介して接続されたＡＤＳＬモデム１０−１（１０−２）と、そのディジタル加入者線３４−１（３４−２）に収容された端末装置３０Ｔｍ−１（３０Ｔｍ−２）との構成が既述の通りに変更されることによって、そのＩＳＤＮ３０を構成する交換局に備えられた装置や設備の構成の何れにも変更が施されることなく、この端末装置３０Ｔｍ−１（３０Ｔｍ−２）と、ＩＰネットワーク３１との間における広帯域の実時間による伝送が安価に、かつ精度よく安定に達成される。
【００３７】
したがって、端末装置３０Ｔｍ−１（３０Ｔｍ−２）がＩＳＤＮ３０に何ら同期することなく動作していた従来例に比べて、その端末装置３０Ｔｍ−１（３０Ｔｍ−２）によって送信されるべき情報（パケット）が蓄積されるバッファメモリのオーバフローやアンダーフローが確実に回避され、画像情報、音声情報その他の多様な情報を示すリアルタイム・ストリーム信号の伝送が安定に、かつ高い伝送品質で実現される。
【００３８】
さらに、本実施形態によれば、端末装置３０Ｔｍ−１（３０Ｔｍ−２）が既述の同期信号との同期を確実に維持できる限り、ＡＤＳＬ用送受信器３２−１（３２−２）とＡＤＳＬモデム１０−１（１０−２）との何れにおいても、これらの端末装置３０Ｔｍ−１（３０Ｔｍ−２）にディジタル加入者線３４−１（３４−２）を介して引き渡されるべき情報やパケットが一時的に蓄積されるバッファメモリのサイズに無用な余裕度が確保されなくてもよい。
【００３９】
したがって、上述したリアルタイム・ストリーム信号の伝送に伴う伝送遅延時間の短縮が安定に図られる。
なお、上述した実施形態では、ＩＳＤＮ３０は、ディジタル加入者線３４−１、３４−２が直接収容されるアクセスネットワークとして構成されている。
しかし、本発明は、「ＩＰネットワーク３１に対するアクセスを可能とするアクセスネットワークとして構成されたＩＳＤＮ３０」に限定されず、例えば、このアクセスネットワークの上位に形成されたコアネットワークを介してそのＩＰネットワーク３１に対するアクセスが実現される場合にも同様に適用可能である。
【００４０】
また、上述した実施形態では、ＩＳＤＮ３０の網同期の下でそのＩＳＤＮ３０に収容されたディジタル加入者線３４−１、３４−２に本発明が適用されている。
しかし、本発明は、このようなＩＳＤＮ３０に限定されず、網同期の下で同期転送モードに基づいて交換処理が行われる如何なる網に収容されたディジタル加入者線にも、適用可能である。
【００４１】
さらに、上述した実施形態では、本発明は、このようなディジタル加入者線を介して収容され、かつ加入者の宅内に設置されると共に、ＩＰネットワーク３１を介して接続されたサイトまたは端末との間における所望の情報の伝送を可能とするＡＤＳＬモデムおよび端末装置に適用されている。
しかし、本発明は、このようなＩＰネットワーク３１に対するアクセスを可能とする同期網に限定されず、蓄積交換やメッセージ交換が行われる網に対するアクセスを可能とする同期網に収容されたディジタル加入者線に接続される宅内装置にも、同様に適用可能である。
【００４２】
また、上述した実施形態では、本発明は、ＩＴＵ−Ｔの勧告Ｇ．９９２．１のＡｎｎｅｘ  Ｃ  に準拠したＡＤＳＬに適用されている。
しかし、本発明は、このようなＡＤＳＬに限定されず、同期網に対する端末装置の収容に供される加入者線が所望の多重伝送方式や多元接続方式の下で併用されることにより、広帯域のデータ伝送サービスの提供が実現される限り、例えば、ＩＤＳＬ（ＩＳＤＮ  Ｄｉｇｉｔａｌ  Ｓｕｂｓｃｒｉｂｅｒ  Ｌｉｎｅ）、ＨＤＳＬ（Ｈｉｇｈ−Ｂｉｔ−Ｒａｔｅ  Ｄｉｇｉｔａｌ  Ｓｕｂｓｃｒｉｂｅｒ  Ｌｉｎｅ）、ＳＨＤＳＬ（Ａｓｙｍｍｅｔｒｉｃ  Ｈｉｇｈ−Ｂｉｔ−Ｒａｔｅ  Ｄｉｇｉｔａｌ  Ｓｕｂｓｃｒｉｂｅｒ  Ｌｉｎｅ）、ＳＤＳＬ（Ｓｉｎｇｌｅ  Ｐａｉｒ  Ｄｉｇｉｔａｌ  Ｓｕｂｓｃｒｉｂｅｒ  Ｌｉｎｅ）、ＶＤＳＬ（Ｖｅｒｙ  Ｈｉｇｈ−Ｂｉｔ−Ｒａｔｅ  Ｄｉｇｉｔａｌ  Ｓｕｂｓｃｒｉｂｅｒ  Ｌｉｎｅ）その他のように、如何なる「ディジタル加入者線」にも適用可能である。
【００４３】
さらに、上述した実施形態では、ＡＤＳＬモデム１０−１（１０−２）に備えられた周波数シンセサイザ１１−１（１１−２）によって生成された同期信号は、通信リンク２１−１（２１−２）とは別に設けられた線路２１Ｓ−１（２１Ｓ−２）を介して端末装置３０Ｔｍ−１（３０Ｔｍ−２）に供給されている。
しかし、このような同期信号は、「コストの増加」や「標準的ではない部品の適用」が許容される場合には、例えば、下記の通りに構成されることによって端末装置３０Ｔｍ−１（３０Ｔｍ−２）に供給されてもよい。
【００４４】
・  通信リンク２１−１（２１−２）を物理的に構成するケーブルの両端に取り付けられたコネクタのピンの内、未使用のピンが適用される。
・  受信部２０Ｒ−１（２０Ｒ−２）から端末装置３０Ｔｍ−１（３０Ｔｍ−２）に至る通信リンク２１−１（２１−２）の下りのリンクに、ＨＤＬＣ手順（Ｈｉｇｈ  ｌｅｖｅｌ  Ｄａｔａ  Ｌｉｎｋ  Ｃｏｎｔｒｏｌ  Ｐｒｏｃｅｄｕｒｅ）等のように、『「ＣＳＭＡ／ＣＤ方式の通信リンクに適合する汎用の通信インタフェース回路」でも、ファームウエアが交換されることによって実現可能な同期伝送方式』が適用される。
【００４５】
・  『「通信リンク２１−１（２１−２）を介するＣＳＭＡ／ＣＤ方式の伝送を可能とするＬＡＮインタフェース（通常は、端末装置３０Ｔｍ−１（３０Ｔｍ−２）に備えられる。）等のハードウエア」に一体化されたパッケージやユニット』として、ＡＤＳＬモデム１０−１（１０−２）が構成される。
また、本発明は上述した実施形態に限定されるものではなく、本発明の範囲において多様な形態による実施形態が可能であり、かつ構成装置の一部もしくは全てに如何なる改良が施されてもよい。
【００４６】
【発明の効果】
上述したように請求項１ないし請求項４にかかわる発明では、ディジタル加入者線を介して収容された端末装置は、基本的な構成が変更されることなく、そのディジタル加入者線が同期する網同期系に従属同期した同期信号に同期して、メッセージ交換または蓄積交換が行われる網を介して接続されたサイトや端末と相互に所望の情報を伝送することができる。
【００４７】
したがって、このような情報の伝送が上述した網同期系に対して非同期に行われていた従来例に比べて、伝送遅延時間の短縮が可能となり、かつ多様であって大量の情報の実時間による伝送が安価に高い伝送品質で達成される。
また、これらの発明が適用された通信システムでは、総合的なサービス品質および価格性能比が高められ、かつ多様な形態による通信サービスの提供が可能となる。
【図面の簡単な説明】
【図１】本発明の実施形態を示す図である。
【図２】端末がＡＤＳＬを介して収容された通信システムの構成例を示す図である。
【符号の説明】
１０，２０  ＡＤＳＬモデム（ＡＴＵ−Ｒ）
１１  周波数シンセサイザ（ＰＬＬ）
２０ＣＲ  クロック再生回路
２０Ｒ，３２Ｒ  受信部
２０Ｔ，３２Ｔ  送信部
２１  通信リンク
２１Ｓ  線路
３０  ＩＳＤＮ
３０Ｔ，３０Ｔｍ  端末装置
３１  ＩＰネットワーク
３２  ＡＤＳＬ用送受信器（ＡＴＵ−Ｃ）
３４  ディジタル加入者線
３５  基準クロック発振器
【図１】
2005006256.tif 000003
【図２】
2005006256.tif 000004